(57)【要約】【課題】特別な傾斜検出部品を必要とせず、その構成を簡単にすることができる傾斜検出機能を備えた携帯電話機を提供する。【解決手段】上ケース1の内部には表示部4である、液晶表示器4a、バックライト4b、ホルダー4c、が設けられている。また、プリント基板7にはフォトセンサー8、着信報知用のバイブレータ9が設けられている。そして、バイブレータ9は表示部長手方向と平行に、またバイブレータ9の偏心錘9aがバックライト4bとフォトセンサー8の間に位置するように配置する。【選択図】図２
2007300311.tif 000002
【特許請求の範囲】
【請求項１】
光遮断部と、発光部と、受光部とを有する傾斜検出部を備えた携帯電話機。
【請求項２】
前記光遮断部を着信報知用のバイブレーターにより構成した請求項1の携帯電話機。
【請求項３】
前記発光部を液晶表示器のバックライトにより構成した請求項1の携帯電話機。
【発明の詳細な説明】
【技術分野】
【０００１】
本発明は、傾斜検出部を設けた携帯電話に関する。
【背景技術】
【０００２】
従来、傾斜検出部を設けた携帯電話機として、傾斜検出部は、閉じ状態、開き状態、右90度、左90度の状態になったとき、互いに接触する接点で構成したものが知られている。また、軸の外周にスリットを設け、これを光学センサーで読み取る、エンコーダーなどの角度センサーで構成したものが知られている。（例えば、特許文献1参照）
【特許文献１】特開2004−282624号公報
【発明の開示】
【発明が解決しようとする課題】
【０００３】
しかしながら、特許文献1記載の携帯電話機は、接点部、光学センサー、エンコーダーなどで構成するために、部品を追加しなければならないという問題があった。
【０００４】
本発明は、このような従来の問題を解決するためになされたものであり、特別な傾斜検出部品を必要とせず、その構成を簡単にすることができる携帯電話機を提供することを目的とするものである。
【課題を解決するための手段】
【０００５】
本発明の携帯電話機は、光遮断部、発光部、受光部により構成した傾斜検出部を有する。
【０００６】
この構成により、表示器への画像、文章、文字などの表示を常時正立した状態に切り換えることができる。
【０００７】
また、本発明の携帯電話機は、前記光遮断部を着信報知用のバイブレータにより構成した。
【０００８】
この構成により、特別な光遮断手段を必要としない。
【０００９】
また、本発明の携帯電話機は、前記発光部を液晶表示器のバックライトにより構成した。
【００１０】
この構成により、特別な発光部を必要としない。
【発明の効果】
【００１１】
本発明の携帯電話機は、光遮断部、発光部、受光部により構成した傾斜検出部を有する。
【００１２】
この構成により、表示器への画像、文章、文字などの表示を常時正立した状態に切り換えることができる。
【発明を実施するための最良の形態】
【００１３】
以下、本発明の実施の形態について図面を用いて説明する。
【００１４】
図1は、本発明の実施の形態における携帯電話機の斜視図である。本発明の実施の形態における携帯電話機は、図1に示すように、開口部が互いに横合して結合される箱状の上ケース1、下ケース2を備えている。上ケース1の主面1aには、ナビキーや機能キーといったキー操作部3や、表示部4が設けられ、更に、上ケース1の主面両端部には、それぞれ送話器、受話器用の音孔5、6が形成されている。
【００１５】
図2は同じく本発明の実施の形態における携帯電話機の上ケース1の内部を示す断面図（切断面ＸＸ‘）、図3は同じく本発明の実施の形態における携帯電話機の上ケース1の内部を示す断面図（切断面YY’）である。図2、図3に示すように、上ケース1の内部には表示部4である、液晶表示器4a、バックライト4b、ホルダー4c、が設けられている。また、プリント基板7にはフォトセンサー8、着信報知用のバイブレータ9が設けられている。そして、バイブレータ9は表示部長手方向と平行に、またバイブレータ9の偏心錘9aがバックライト4bとフォトセンサー8の間に位置するように酉己置する。
【００１６】
図4は、本実施の形態における携帯電話機の概略ブロック図である。
【００１７】
本発明の実施の形態における携帯電話機は、電話機能部10と、テレビ機能部11と、これらの機能部を制御する CPU12を備えている。CPUには、着信報知部13、傾斜検出部14、操作部15、表示回転処理部16、表示部17等が接続されている。
【００１８】
次に、本実施の形態における携帯電話機について、その動作を、図5を用いて詳細に説明する。
【００１９】
図5は、本実施の形態における携帯電話機の動作を示すフローチャートである。
【００２０】
図5に示すように操作部15により図6、図7に示すような横長モードに切り換えられる（STEP１）と、表示方向として、図6に示すような横長Aモードおよび図7に示すような横長Bモードのうち、予め選択されたモードを初期表示方向として表示回転処理部16に設定する（STEP2）。
【００２１】
ここで横長Aモードが表示回転処理部16に設定された場合には、表示回転処理は図8に示すような縦長モードを時計方向に90度回転させる処理を行った後、図6に示すような向きで表示部17に供給する。この後、傾斜検出部13に検出結果に基づいて、携帯電話機の本体の向きがAモードかBモードであるかを判別する（S TEP3）。
【００２２】
携帯電話機本体の向きが横長Aモードであると判別された場合には、横長Aモードを設定した後（S TEP4）、S TEP6、に移行する。この場合の表示回転処理部1（Sの処理内容は、前述した処理が行われる。携帯電話機本体の向きが横長Bモードであると判別された場合には、表示方向として横長Bモードを設定した後（STEP5）、STEP6に移行する。横長Bモードが表示回転処理部16に設定された場合には表示回転処理部16は図8に示すような表示を反時計方向に90度回転処理を行った後、図7に示すような向きで表示部17に供給する。
【００２３】
STEP6では、操作部14により縦長モードに切り換えられたか否かを判別する。縦長モードに切り換えられていない場合は、S TEP3にもどる。縦長モードに切り換ええられた場合には今回の処理は終了する。S TEP7は電話機能部10により着信があるか否かを判別する。着信がない場合は、STE P3にもどる。着信がある場合には表示を予め選択された縦長モード、横長Aモード、横長Bモードに切り替える。
【００２４】
このように、本実施の形態における携帯電話機によれば、基板に着信報知用のバイブレータと受光部とを設け、それを液晶表示器のバックライトに対向する位置に配置されているため、特別な発光部、光遮断部を必要とせず、その構成を著しく簡単にすることができる。そして、光遮断部が偏心錘であることから、偏心錘が常時引力でしたに位置するためその検出結果に基づいて表示器への画像、文章、文字などの表示を常時正立した状態に切り替えることができる。
【産業上の利用可能性】
【００２５】
本発明の携帯電話機は、傾斜検出部を備えたものであり、表示器への画像、文章、文字などの表示を常時正立した状態に切り換えることができ、表示部を有する携帯電話機等の用途に有用である。
【図面の簡単な説明】
【００２６】
【図１】本発明の実施の形態における携帯電話機の斜視図
【図２】本発明の実施の形態における携帯電話機の縦断面図
【図３】本発明の実施の形態における携帯電話機の横断面図
【図４】本発明の実施の形態における携帯電話機の概略ブロック図
【図５】本発明の実施の形態における携帯電話機の動作を示すフローチャート
【図６】本発明の実施の形態における携帯電話機の横長Aモードを示す正面図
【図７】本発明の実施の形態における携帯電話機の横長Bモードを示す正面図
【図８】本発明の実施の形態における携帯電話機の縦長モード表示を示す正面図
【符号の説明】
【００２７】
1    上ケース
2    下ケース
3    キー操作部
4    表示部
5    送話器音孔
6    受話器音孔
7    プリント基板
8    フォトセンサー
9    バイブレーター
1a    上ケース主面
4a    液晶表示器
4b    バックライト
4c    ホルダー
9a    偏心錘
【図１】
2007300311.tif 000003
【図２】
2007300311.tif 000004
【図３】
2007300311.tif 000005
【図４】
2007300311.tif 000006
【図５】
2007300311.tif 000007
【図６】
2007300311.tif 000008
【図７】
2007300311.tif 000009
【図８】
2007300311.tif 000010